(57)【要約】【課題】一つの原稿載置台に載置した原稿の位置に応じて、読み取りモードや画像処理モードを切り替えることができるようにして、ＡＤＦの実装有無の影響を受けることなく、自動的に読み取りモードや画像処理モードを設定するようにする。【解決手段】原稿を載置する原稿載置台と、原稿を読み取る原稿読み取り部１３とを有する画像処理装置１０であって、前記原稿載置台に載置された原稿の位置を検出する原稿位置検出部１５−２と、該原稿位置検出部１５−２の検出結果に基づいて読み取りモードを選択する読み取りモード選択部１６−１とを有し、該読み取りモード選択部１６−１によって選択された読み取りモードに従って前記原稿の画像を読み取る。【選択図】図１
2005159766.tif 000002
【特許請求の範囲】
【請求項１】
（ａ）原稿を載置する原稿載置台と、原稿を読み取る原稿読み取り部とを有する画像処理装置であって、
（ｂ）前記原稿載置台に載置された原稿の位置を検出する原稿位置検出部と、
（ｃ）該原稿位置検出部の検出結果に基づいて読み取りモードを選択する読み取りモード選択部とを有し、
（ｄ）該読み取りモード選択部によって選択された読み取りモードに従って前記原稿の画像を読み取ることを特徴とする画像処理装置。
【請求項２】
前記読み取りモード選択部によって選択された読み取りモードの表示を行う表示部を有する請求項１に記載の画像処理装置。
【請求項３】
（ａ）前記原稿位置検出部の検出結果に対応して読み取りモードを変更する読み取りモード変更手段と、
（ｂ）前記原稿位置検出部の検出結果に対応して読み取りモードを登録する読み取りモード登録手段とを有する請求項１に記載の画像処理装置。
【請求項４】
前記読み取りモード変更手段又は前記読み取りモード登録手段は、あらかじめ入力されて登録された識別情報と新たに入力された識別情報とを比較し、比較結果に基づいて、前記読み取りモードの変更又は読み取りモードの登録を実行するか否かを決定する請求項３に記載の画像処理装置。
【請求項５】
前記読み取りモード選択部によって選択された読み取りモードに従って、読み取った画像データを印刷する画像印刷部を有する請求項１〜４のいずれか１項に記載の画像処理装置。
【請求項６】
（ａ）原稿を載置する原稿載置台と、原稿を読み取る原稿読み取り部とを有する画像処理装置であって、
（ｂ）前記原稿載置台に載置された原稿位置を検出する原稿位置検出部と、
（ｃ）該原稿位置検出部の検出結果に基づいて画像処理モードを選択する画像処理モード選択部とを有し、
（ｄ）該画像処理モード選択部によって選択された画像処理モードに従って読み取った画像データの加工処理を施すことを特徴とする画像処理装置。
【請求項７】
前記画像処理モード選択部によって選択された画像処理モードの表示を行う表示部を有する請求項６に記載の画像処理装置。
【請求項８】
（ａ）前記原稿位置検出部の検出結果に対応して画像処理モードを変更する画像処理モード変更手段と、
（ｂ）前記原稿位置検出部の検出結果に対応して画像処理モードを登録する画像処理モード登録手段とを有する請求項６に記載の画像処理装置。
【請求項９】
前記画像処理モード変更手段又は前記画像処理モード登録手段は、あらかじめ入力されて登録された識別情報と新たに入力された識別情報とを比較し、比較結果に基づいて、前記画像処理モードの変更又は画像処理モードの登録を実行するか否かを決定する請求項８に記載の画像処理装置。
【請求項１０】
前記画像処理モード選択部によって選択された画像処理モードに従って、加工処理された画像データを印刷する画像印刷部を有する請求項６〜９のいずれか１項に記載の画像処理装置。
【請求項１１】
（ａ）原稿を載置する原稿載置台と、原稿を読み取る原稿読み取り部とを有する画像処理装置であって、
（ｂ）画像を読み取るための第１のサイズの第１原稿及び前記読み取った画像データのサイズを拡縮する第２のサイズの第２原稿が前記原稿載置台に載置されたことを検出する原稿検出部と、
（ｃ）前記原稿載置台に載置された前記第１原稿の位置及び第２原稿の位置を検出する原稿位置検出部と、
（ｄ）前記原稿載置台に載置された前記第１原稿のサイズ及び第２原稿のサイズを検出する原稿サイズ検出部と、
（ｅ）前記原稿載置台に載置された前記第１原稿のサイズ及び第２原稿サイズに基づいて画像データを拡縮処理する画像拡縮処理部とを有することを特徴とする画像処理装置。
【請求項１２】
（ａ）前記原稿サイズ検出部によって検出された前記第１原稿のサイズ及び第２原稿のサイズと、
（ｂ）前記画像拡縮処理部によって求められた前記第１原稿のサイズから第２原稿のサイズへの拡縮率とを表示する表示部を有する請求項１１に記載の画像処理装置。
【請求項１３】
前記第１原稿が複数のページを備える場合、前記原稿サイズ検出部によって検出された前記第２原稿のサイズを記憶し、前記第１原稿の第２ページ以降が載置されるときには前記第２原稿の載置を省略する手段を有する請求項１１に記載の画像処理装置。
【請求項１４】
前記画像拡縮処理部によって求められた前記第１原稿のサイズから第２原稿のサイズへの拡縮率に基づいて、読み取り解像度を切り替えて読み取る手段を有する請求項１１に記載の画像処理装置。
【請求項１５】
前記第１原稿と第２原稿との載置位置を変更する原稿載置位置変更手段を有する請求項１１に記載の画像処理装置。
【請求項１６】
前記原稿載置位置変更手段は、あらかじめ入力されて登録された識別情報と新たに入力された識別情報とを比較し、比較結果に基づいて前記載置位置の変更を実行するか否かを決定する請求項１５に記載の画像処理装置。
【請求項１７】
前記画像拡縮処理部によって拡縮処理された画像データを印刷する画像印刷部を有する請求項１１〜１６のいずれか１項に記載の画像処理装置。
【請求項１８】
前記原稿載置台は、ガラス台又は／及びＡＤＦである請求項１〜１７のいずれか１項に記載の画像処理装置。
【発明の詳細な説明】
【技術分野】
【０００１】
本発明は、画像処理装置に関するものである。
【背景技術】
【０００２】
従来、ファクシミリ、複写機、スキャナ、又は、スキャナとプリンタ、ファクシミリ、複写機等との機能を兼ね備える複合機のような画像処理装置においては、原稿の読み取りを開始する前に解像度、印刷モード等の各種の読み取りモードや画像処理モードを設定するようになっている。これにより、原稿の種類、画像処理の用途、ユーザの希望等に合わせて、適切なモードで原稿の読み取りや画像処理を行わせることができる。しかし、ガラス台等の原稿載置台やＡＤＦ（原稿自動送り装置：Ａｕｔｏ  Ｄｏｃｕｍｅｎｔ  Ｆｅｅｄｅｒ）に原稿を載置した後、原稿の読み取りを開始させる前に、その都度画像処理装置のオペレーションパネルを操作して、各種の読み取りモードや画像処理モードを設定しなければならないので、ユーザは煩わしく感じてしまう。
【０００３】
そこで、原稿を原稿載置台に載置するかＡＤＦに載置するかに応じて、読み取りモードや画像処理モードを自動的に変更する技術が提案されている（例えば、特許文献１又は特許文献２参照。）。この場合、例えば、少なくとも二種類の原稿読み取り動作モードが用意され、原稿を原稿載置台に載置するかＡＤＦに載置するかに応じて、原稿読み取りモードが変更されたり、また、コピー部数も考慮することができるようにして、原稿を原稿載置台に載置するかＡＤＦに載置するか、及び、コピー部数に応じて、コピー時の解像度が可変制御されるようになっている。
【特許文献１】特開２０００−３３８８７号公報
【特許文献２】特開平１１−３０８４１６号公報
【発明の開示】
【発明が解決しようとする課題】
【０００４】
しかしながら、前記従来の画像処理装置においては、原稿を原稿載置台に載置するかＡＤＦに載置するかに応じて読み取りモードや画像処理モードを自動的に変更するので、必ず二種類の読み取り機構が必要となっている。そのため、例えば、原稿載置台だけを備えＡＤＦを備えていない画像処理装置のように、一種類の読み取り機構しか備えていない画像処理装置の場合には、適用することができない。したがって、原稿載置台だけを備えている画像処理装置や、ＡＤＦがオプション設定となっているような画像処理装置においては、依然として、原稿の読み取りを開始させる前に、その都度画像処理装置のオペレーションパネルを操作して、読み取りモードや画像処理モードを設定する必要がある。
【０００５】
本発明は、前記従来の画像処理装置の問題点を解決して、一つの原稿載置台に載置した原稿の位置に応じて、読み取りモードや画像処理モードを切り替えることができるようにして、ＡＤＦの実装有無の影響を受けることなく、自動的に読み取りモードや画像処理モードを設定する画像処理装置を提供することを目的とする。
【課題を解決するための手段】
【０００６】
そのために、本発明の画像処理装置においては、原稿を載置する原稿載置台と、原稿を読み取る原稿読み取り部とを有する画像処理装置であって、前記原稿載置台に載置された原稿の位置を検出する原稿位置検出部と、該原稿位置検出部の検出結果に基づいて読み取りモードを選択する読み取りモード選択部とを有し、該読み取りモード選択部によって選択された読み取りモードに従って前記原稿の画像を読み取る。
【発明の効果】
【０００７】
本発明によれば、画像処理装置は、一つの原稿載置台に載置した原稿の位置に応じて読み取りモードや画像処理モードを切り替えるようにして、ＡＤＦの実装有無の影響を受けることなく、自動的に読み取りモードや画像処理モードを設定することができる。
【発明を実施するための最良の形態】
【０００８】
以下、本発明の実施の形態について図面を参照しながら詳細に説明する。
【０００９】
図１は本発明の第１の実施の形態における画像処理装置の構成を示すブロック図、図２は本発明の第１の実施の形態における原稿の載置位置に応じた読み取りモード及び画像処理モードの例を示す図、図３は本発明の第１の実施の形態における読み取りモード及び画像処理モードのデータ構造を示す図である。
【００１０】
図１において、１０は画像処理装置であり、例えば、ファクシミリ、複写機、スキャナ、又は、スキャナとプリンタ、ファクシミリ、複写機等との機能を兼ね備える複合機であるが、いかなる種類の画像処理装置であってもよい。なお、本実施の形態においては、前記画像処理装置１０が複合機である場合について説明する。この場合、前記画像処理装置１０は、図示されない原稿載置台に載置された原稿をスキャナ等の画像読み取り装置によって読み取り、画像処理された画像を印刷装置によって記録紙等の媒体に印刷するようになっている。なお、前記画像読み取り装置は、いかなる構成を有するものであってもよいが、ここではモノクロ画像及びカラー画像の読み取りを行うことができるものであるとする。また、前記印刷装置は、インクジェット式、電子写真式、熱転写式等いかなる種類の印刷方式の印刷装置であってもよいが、ここではモノクロ画像及びカラー画像の印刷を行うことができるものであるとする。
【００１１】
そして、前記画像処理装置１０は、機能の観点から、図１に示されるような構成を有する。すなわち、前記画像処理装置１０は、装置管理部１１、画像印刷部１２、原稿読み取り部１３、操作パネル部１４、原稿検出部１５、記憶部１７、画像処理部１８及び動作モード選択部１６を有し、前記装置管理部１１、画像印刷部１２、原稿読み取り部１３、操作パネル部１４、原稿検出部１５、記憶部１７、画像処理部１８及び動作モード選択部１６は、バス１９を介して相互に通信可能に接続されている。ここで、前記装置管理部１１は、前記画像処理装置１０における他の各部の動作や状況を統括的に管理する。また、前記原稿読み取り部１３は、前記画像読み取り装置に対応し、原稿の読み取りを行う。さらに、前記画像印刷部１２は、前記印刷装置に対応し、読み取った画像データを記録紙等の媒体上に形成する。
【００１２】
また、前記操作パネル部１４は、図示されないオペレーションパネルに配設され、ユーザが操作して指示や情報を入力するためのタッチパネル、キーボード等の入力装置に対応する操作部１４−１と、 前記オペレーションパネルに配設され、ユーザへの指示や情報を出力するための液晶ディスプレイ、ＬＥＤ（Ｌｉｇｈｔ  Ｅｍｉｔｔｉｎｇ  Ｄｉｏｄｅ）ディスプレイ等の表示装置に対応する表示部１４−２を備える。さらに、前記原稿検出部１５は、ガラス台等の原稿載置台に載置された原稿に関する各種情報を収集するためのブロックであり、原稿載置台上の原稿の有無を検出する原稿有無検出部１５−１、原稿が載置された位置を検出する原稿位置検出部１５−２、及び、原稿のサイズを検出する原稿サイズ検出部１５−３を備える。さらに、前記記憶部１７は、画像処理装置１０内の様々な情報を保存するメモリブロックであり、読み取りモード情報を格納する読み取りモード部１７−１、及び、画像処理モード情報を格納する画像処理モード部１７−２を備える。
【００１３】
そして、前記動作モード選択部１６は、読み取りモード選択部１６−１及び画像処理モード選択部１６−２を備える。そして、前記読み取りモード選択部１６−１は、読み取りモード部１７−１に格納された読み取りモード情報を参照して、原稿の位置に対応する読み取りに関する各種の設定を判断し、読み取りモードを選択する。また、前記画像処理モード選択部１６−２は、画像処理モード部１７−２に格納された画像処理モード情報を参照して、画像処理に関する各種の設定を判断し、画像処理モードを選択する。さらに、前記画像処理部１８は、読み取った画像データの加工処理を行う。
【００１４】
ここで、前記画像処理装置１０は、原稿位置検出部１５−２の検出結果に対応して読み取りモードを変更する図示されない読み取りモード変更手段、及び、原稿位置検出部１５−２の検出結果に対応して読み取りモードを登録する図示されない読み取りモード登録手段を有する。また、前記画像処理装置１０は、原稿位置検出部１５−２の検出結果に対応して画像処理モードを変更する図示されない画像処理モード変更手段、及び、原稿位置検出部１５−２の検出結果に対応して画像処理モードを登録する図示されない画像処理モード登録手段を有する。そして、図２に示される表のように、原稿載置台に載置された原稿の位置に応じて、読み取りモード及び画像処理モードを選択するようになっている。図２に示される表において、２１は原稿位置パターン番号コラムであり、制御上の理由からあらかじめ規定される原稿位置を示す識別番号としての原稿位置パターン番号を示している。また、２２は原稿位置コラムであり、原稿載置台としてのガラス台２２−２上にある原稿２２−１の位置をパターン化して図示している。さらに、２３はモード要因例コラムであり、読み取りモード及び画像処理モードの要因として色及び解像度を示している。さらに、２４は選択モードコラムであり、選択される読み取りモード及び画像処理モードを示している。
【００１５】
例えば、図２に示される表において、原稿２２−１をガラス台２２−２の向かって左奥を基準位置として、読み取り主走査方向に原稿２２−１の長辺を合わせた形態（ＬＥＦ）が原稿位置パターン番号１である。また、原稿２２−１をガラス台２２−２の向かって右奥を基準位置として、読み取り主走査方向に原稿２２−１の短辺を合わせた形態（ＳＥＦ）が原稿位置パターン番号６である。そして、原稿位置パターン番号１の場合は、読み取りモード及び画像処理モードの要因として、色はグレースケール及び解像度は３００〔ｄｐｉ〕が割り当てられる。さらに、結果的に選択される読み取りモード及び画像処理モードは、「３００〔ｄｐｉ〕のグレースケール」となる。
【００１６】
そして、前記記憶部１７に格納される読み取りモード及び画像処理モードは、図３に示されるようなテーブル形式のデータ構造を有する。すなわち、読み取りモード及び画像処理モードはテーブル化して記憶される。図３において、テーブル３２の各欄の外側に付与された番号３１は、図２の原稿位置パターン番号コラム２１における原稿位置パターン番号を示している。そのため、ガラス台２２−２上にある原稿２２−１の位置の検出結果に基づいて、原稿位置パターン番号を求め、該原稿位置パターン番号に対応する読み取りモード及び画像処理モードを適用することができる。
【００１７】
次に、前記構成の画像処理装置１０の動作について説明する。
【００１８】
図４は本発明の第１の実施形態における画像処理装置の動作を示すフローチャートである。
【００１９】
ここでは、画像読み取り制御について説明する。なお、画像処理装置１０が他の動作を行っていない待機状態であることを前提に説明するが、他の動作中であっても多重動作が許可されているのであれば、同一の画像読み取り制御を適用することができる。
【００２０】
まず、表示部１４−２には、待機状態であることを示す表示が行われる。そして、原稿有無検出部１５−１は、原稿有無検出を実行して、ガラス台２２−２上の原稿２２−１があるか否かを判断する。この場合、前記原稿有無検出部１５−１は、例えば、いくつかのフォトセンサによって原稿有無検出を実行する。そして、原稿２２−１がないと判断した場合、操作部１４−１がオペレーションパネルのキー状態を検出し、キーが押下されているか否か、すなわち、キー押下の有無を判断する。ここで、キーが押下されていない場合は、再び、前記原稿有無検出部１５−１が原稿２２−１の有無を検出する。また、キーが押下されている場合はキー押下処理が実行される。なお、該キー押下処理は、通常のキー押下処理の同様であるので、説明を省略する。
【００２１】
また、原稿２２−１があると判断した場合、原稿位置検出部１５−２が原稿位置検出を実行し、原稿２２−１が規定位置にあるか否かを判断する。この場合、前記原稿位置検出部１５−２は、例えば、いくつかのフォトセンサによって原稿位置検出を実行する。そして、原稿２２−１が規定位置にない場合、すなわち、原稿２２−１の位置が図２における原稿位置コラム２２に示されるパターンのいずれにも該当しない場合、前述されたように、操作部１４−１がオペレーションパネルのキー状態を検出し、キー押下の有無を判断する。また、原稿２２−１が規定位置にある場合、すなわち、原稿２２−１の位置が図２における原稿位置コラム２２に示されるパターンのいずれかに該当する場合、動作モード選択部１６は、図２に示される表のように、ガラス台２２−２に載置された原稿２２−１の位置に応じて、読み取りモード及び画像処理モードを選択する。そして、表示部１４−２は、選択された読み取りモード及び画像処理モードをユーザに確認させるために表示する。
【００２２】
続いて、操作部１４−１がオペレーションパネルのキー状態を検出し、スタートキーが押下されているか否か、すなわち、スタートキー押下の有無を判断する。ここで、スタートキーが押下されている場合は、原稿読み取り部１３が原稿読み取りを実行する。そして、原稿読み取りが完了した後、画像処理が選択されている場合、画像処理部１８は必要な画像処理を実行する。また、スタートキーが押下されていない場合、操作部１４−１はその他のキーが押下されているか否か、すなわち、他キー押下の有無を判断する。そして、その他のキーが押下されている場合はキー押下処理が実行される。また、その他のキーが押下されていない場合は、再度、原稿有無検出が実行され、原稿２２−１があれば操作部１４−１がオペレーションパネルのキー状態を検出し、原稿２２−１が取り除かれた場合は待機状態に戻る。
【００２３】
次に、フローチャートについて説明する。
ステップＳ１  待機状態であることを示す表示を行う。
ステップＳ２  ガラス台２２−２上の原稿有無を検出する。
ステップＳ３  原稿２２−１を検出したか否かを判断する。原稿２２−１を検出した場合はステップＳ４に進み、原稿２２−１を検出していない場合はステップＳ６に進む。
ステップＳ４  原稿位置の検出を行う。
ステップＳ５  原稿２２−１が規定位置にあるか否かを判断する。原稿２２−１が規定位置にある場合はステップＳ８に進み、原稿２２−１が規定位置にない場合はステップＳ６へ進む。
ステップＳ６  オペレーションパネルのキー状態を検出する。
ステップＳ７  キー押下があるか否かを判断する。キー押下がある場合はステップＳ１８に進み、キー押下がない場合はステップＳ２に戻る。
ステップＳ８  読み取りモード及び画像処理モードを選択する。
ステップＳ９  選択した読み取りモード及び画像処理モードを表示部１４−２に表示する。
ステップＳ１０  オペレーションパネルのキー状態を検出する。
ステップＳ１１  スタートキーが押下されたか否かを判断する。スタートキーが押下された場合はステップＳ１２に進み、スタートキーが押下されていない場合はステップＳ１５に進む。
ステップＳ１２  原稿２２−１の読み取りを行う。
ステップＳ１３  画像処理が必要か否かを判断する。画像処理が必要な場合はステップＳ１４に進み、画像処理が必要でない場合は処理を終了する。
ステップＳ１４  必要な画像処理を行う。
ステップＳ１５  その他のキーが押下されているか否かを判断する。その他のキーが押下されている場合はステップＳ１８に進み、その他のキーが押下されていない場合はステップＳ１６に進む。
ステップＳ１６  ガラス台２２−２上の原稿有無を検出する。
ステップＳ１７  原稿２２−１を検出したか否かを判断する。原稿２２−１を検出した場合はステップＳ１０に戻り、原稿２２−１を検出していない場合はステップＳ１に戻る。
ステップＳ１８  キー押下処理が実行される。
【００２４】
このように、本実施の形態においては、一つのガラス台２２−２において、原稿２２−１が載置された位置によって、あらかじめ読み取りモード及び画像処理モードを割り当てておくことにより、ユーザによる読み取りモード及び画像処理モードの設定操作を不要とし、操作の簡略化及び所要時間の短縮を図ることができる。さらに、ユーザによる読み取りモード及び画像処理モードの設定操作を不要とすることによって、読み取りモード及び画像処理モードの設定漏れや設定ミスを防止することができる。
【００２５】
次に、本発明の第２の実施の形態について説明する。なお、第１の実施の形態と同じ構造を有するものについては、同じ符号を付与することによってその説明を省略する。また、前記第１の実施の形態と同じ動作及び効果についてもその説明を省略する。
【００２６】
図５は本発明の第２の実施の形態における読み取りモード及び画像処理モードのデータ構造を示す図である。
【００２７】
前記第１の実施の形態では、原稿２２−１が載置された位置に対応する読み取りモード及び画像処理モードを、あらかじめ割り当てておく方法について説明したが、本実施の形態においては、原稿載置位置に応じて読み取りモード及び画像処理モードを自由に選択させる方法について説明する。本実施の形態において、記憶部１７に格納される読み取りモード及び画像処理モードは、図５に示されるようなテーブル形式のデータ構造を有する。この場合、図５（ａ）に示されるような原稿位置パターンテーブル４２が図５（ｂ）に示されるような読み取りモード及び画像処理モードのテーブル３２と組み合わされている。なお、図５（ｂ）に示されるテーブル３２は、前記第１の実施の形態において図３に示されるテーブル３２と同一のものなので説明を省略する。
【００２８】
そして、図５（ａ）に示される原稿位置パターンテーブル４２の各欄に格納された数字は、図５（ｂ）に示されるテーブル３２の各欄の外側に付与された番号３１を示し、原稿位置と読み取りモード及び画像処理モードとを対応させている。例えば、原稿載置位置番号４１が一番の場合は、図５（ａ）に示される原稿位置パターンテーブル４２の一番目の欄に「４」が格納されており、「４」に対応する読み取りモード及び画像処理モードは、図５（ｂ）に示されるテーブル３２の四番目の欄に格納された「３００〔ｄｐｉ〕のフルカラー」となる。
【００２９】
次に、本実施の形態における画像処理装置１０の動作について説明する。
【００３０】
図６は本発明の第２の実施形態における画像処理装置の動作を示すフローチャートである。
【００３１】
ここでは、読み取りモード及び画像処理モード選択制御の動作について説明する。なお、読み取りモード及び画像処理モード選択制御とは、図５（ａ）及び図５（ｂ）に示される二つのテーブル３２及び原稿位置パターンテーブル４２の組み合わせを自由に切り替えるための制御である。
【００３２】
まず、原稿載置位置番号入力画面表示が実行され、表示部１４−２に組み合わせの基本番号である原稿載置位置番号４１を入力するための画面が表示される。そして、操作部１４−１は、オペレーションパネルのキー状態を検出し、どのキーが押下されているかを判断するキー判定を行う。ここで、終了キーが押下された場合は、処理を終了し、キーが押下されていない場合や無効キーが押下された場合は、前記操作部１４−１が再度キー状態を検出する。
【００３３】
また、原稿載置位置として有効な番号を示すキーが押下された場合は、あらかじめ準備されている読み取りモード及び画像処理モードが表示部１４−２に一覧表示される。そして、操作部１４−１は、オペレーションパネルのキー状態を検出し、どのキーが押下されているかを判断するキー判定を行う。ここで、終了キーが押下された場合は、処理を終了し、キーが押下されていない場合や無効キーが押下された場合は、前記操作部１４−１が再度キー状態を検出する。また、読み取りモード及び画像処理モードとして有効な番号を示すキーが押下された場合は、 図５（ａ）に示される原稿位置パターンテーブル４２内の選択された原稿載置位置番号４１が示す欄に、ユーザが入力した読み取りモード及び画像処理モードを示す番号が格納される。
【００３４】
次に、フローチャートについて説明する。
ステップＳ２１  原稿載置位置番号４１を入力するための画面を表示部１４−２に表示する。
ステップＳ２２  オペレーションパネルのキー状態を検出する。
ステップＳ２３  キー判定を行う。原稿載置位置として有効な番号を示すキーが押下された場合はステップＳ２４に進み、終了キーが押下された場合は処理を終了し、キーが押下されていない場合や無効キーが押下された場合はステップＳ２２に戻る。
ステップＳ２４  読み取りモード及び画像処理モードを表示部１４−２に一覧表示する。
ステップＳ２５  オペレーションパネルのキー状態を検出する。
ステップＳ２６  キー判定を行う。読み取りモード及び画像処理モードとして有効な番号を示すキーが押下された場合はステップＳ２７に進み、終了キーが押下された場合は処理を終了し、キーが押下されていない場合や無効キーが押下された場合はステップＳ２５に戻る。
ステップＳ２７  原稿位置パターンテーブル４２内の選択された原稿載置位置番号４１が示すエリアに、ユーザが入力した読み取りモード及び画像処理モードを示す番号３１を格納する。
【００３５】
このように、本実施の形態においては、原稿載置位置に対応する読み取りモード及び画像処理モードを、ユーザの使用環境に合わせて自由に選択させるようになっている。そのため、ユーザやグループメンバが使い慣れ親しんだ操作に最も頻度の高い読み取りモード及び画像処理モードを割り当てることが可能となり、原稿載置位置ミスを低減することができる。
【００３６】
次に、本発明の第３の実施の形態について説明する。なお、第１及び第２の実施の形態と同じ構造を有するものについては、同じ符号を付与することによって、その説明を省略する。また、前記第１及び第２の実施の形態と同じ動作及び効果についても、その説明を省略する。
【００３７】
図７は本発明の第３の実施の形態における読み取りモード及び画像処理モードのデータ構造を示す図である。
【００３８】
前記第２の実施の形態では、原稿が載置された位置に対応する読み取りモード及び画像処理モードを、あらかじめ用意された読み取りモード及び画像処理モードから選択する方法について説明したが、本実施の形態においては、原稿載置位置別に読み取りモード及び画像処理モードを自由に登録させる方法について説明する。本実施の形態において、記憶部１７に格納される読み取りモード及び画像処理モードは、図７に示されるようなテーブル形式のデータ構造を有し、図５（ｂ）に示される原稿の載置位置に割り当てられた読み取りモード及び画像処理モードを、解像度や色指定などの各構成要素別にテーブル化して記憶する。
【００３９】
この場合、図７（ａ）に示される原稿位置パターンテーブル内４２には、第２の実施の形態と同様に番号情報が格納されている。図７（ａ）に示される原稿位置パターンテーブル４２の各欄に格納された数字は、図７（ｂ）に示されるテーブル３２の各欄の外側に付与された番号３１を示し、原稿位置と読み取りモード及び画像処理モードとを対応させている。また、図７（ｂ）に示されるテーブル３２は、原稿位置と読み取りモード及び画像処理モード、解像度情報３２−１、色指定情報３２−２、拡縮率情報３２−３等の個別情報を格納する。例えば、原稿載置位置番号４１が一番の場合は、図７（ａ）に示される原稿位置パターンテーブル４２の一番目の欄に「２」が格納されており、「２」に対応する読み取りモード及び画像処理モードは、「解像度＝３００〔ｄｐｉ〕、色指定＝フルカラー、拡縮率＝１００〔％〕」となる。
【００４０】
次に、本実施の形態における画像処理装置１０の動作について説明する。
【００４１】
図８は本発明の第３の実施形態における画像処理装置の動作を示すフローチャートである。
【００４２】
ここでは、読み取りモード及び画像処理モードテーブル登録制御の動作について説明する。なお、読み取りモード及び画像処理モードテーブル登録制御とは、図７（ｂ）に示されるテーブル３２内の各構成要素項目を登録する制御である。また、原稿位置パターンテーブル４２と組み合わせる制御は、前記第２の実施の形態と同一であるため説明を省略する。
【００４３】
まず、テーブル番号入力画面表示が実行され、表示部１４−２に図７（ｂ）に示されるテーブル３２の番号３１を入力するための画面が表示される。そして、操作部１４−１は、オペレーションパネルのキー状態を検出し、どのキーが押下されているかを判断するキー判定を行う。ここで、終了キーが押下された場合は、処理を終了し、キーが押下されていない場合や無効キーが押下された場合は、前記操作部１４−１が再度キー状態を検出する。
【００４４】
また、テーブル番号として有効な番号３１を示すキーが押下された場合は、最初の構成要素である解像度の選択肢（例えば、６００〔ｄｐｉ〕や３００〔ｄｐｉ〕など）が、入力のための番号３１と組み合わせて表示部１４−２に表示される。そして、操作部１４−１は、オペレーションパネルのキー状態を検出し、どのキーが押下されているかを判断するキー判定を行う。ここで、終了キーが押下された場合は処理を終了し、解像度として有効な番号３１を示すキーが押下された場合は、テーブル３２内の解像度項目に、入力された番号３１に対応する解像度を示す情報を登録する。
【００４５】
続いて、次の構成要素である色指定の選択肢（例えば、フルカラーやグレースケールなど）が、入力のための番号３１と組み合わせて表示部１４−２に表示される。そして、操作部１４−１は、オペレーションパネルのキー状態を検出し、どのキーが押下されているかを判断するキー判定を行う。ここで、終了キーが押下された場合は処理を終了し、色指定として有効な番号３１を示すキーが押下された場合は、テーブル３２に色指定を示す情報を登録する。続いて、次の構成要素である拡縮率の選択肢（例えば、１００〔％〕や５０〔％〕など）が、入力のための番号３１と組み合わせて表示部１４−２に表示される。そして、操作部１４−１は、オペレーションパネルのキー状態を検出し、どのキーが押下されているかを判断するキー判定を行う。ここで、終了キーが押下された場合は処理を終了し、拡縮率として有効な番号３１を示すキーが押下された場合は、テーブル３２に拡縮率を示す情報を登録する。他の構成要素に対しても、同様に選択肢が表示され、テーブル３２への登録が行われる。このようにして、各構成要素別に任意の読み取りモード及び画像処理モードが登録される。
【００４６】
次に、フローチャートについて説明する。
ステップＳ３１  読み取りモード及び画像処理モードのテーブル３２の番号３１を入力するための画面を表示部１４−２に表示する。
ステップＳ３２  オペレーションパネルのキー状態を検出する。
ステップＳ３３  キー判定を行う。読み取りモード及び画像処理モードテーブルとして有効な番号３１を示すキーが押下された場合はステップＳ３４に進み、終了キーが押下された場合は処理を終了し、キーが押下されていない場合や無効キーが押下された場合はステップＳ３２に戻る。
ステップＳ３４  解像度の選択肢を入力のための番号３１と組み合わせて一覧表示する。
ステップＳ３５  キー状態の検出及びキー判定を行う。解像度として有効な番号３１を示すキーが押下された場合はステップＳ３６に進み、終了キーが押下された場合は処理を終了する。
ステップＳ３６  読み取りモード及び画像処理モードのテーブル３２の解像度項目に、入力された番号３１に対応する解像度を示す情報を登録する。
ステップＳ３７  色指定の選択肢を入力のための番号３１と組み合わせて表示する。
ステップＳ３８  キー状態の検出及びキー判定を行う。色指定として有効な番号３１を示すキーが押下された場合はステップＳ３９に進み、終了キーが押下された場合は処理を終了する。
ステップＳ３９  読み取りモード及び画像処理モードのテーブル３２へ色指定を示す情報を登録する。
ステップＳ４０  拡縮率の選択肢を入力のための番号３１と組み合わせて一覧表示する。
ステップＳ４１  キー状態の検出及びキー判定を行う。拡縮率として有効な番号３１を示すキーが押下された場合はステップＳ４２に進み、終了キーが押下された場合は処理を終了する。
ステップＳ４２  読み取りモード及び画像処理モードのテーブル３２へ拡縮率を示す情報を登録する。
【００４７】
このように、本実施の形態においては、原稿載置位置に対応する読み取りモード及び画像処理モードを、解像度や色指定項目などの構成要素別に、ユーザの使用環境に合わせて自由に選択させる手段を設けるようになっている。そのため、ユーザやグループメンバの望む読み取りモード及び画像処理モードを割り当てることが可能となり、さらに使い勝手が向上する。
【００４８】
次に、本発明の第４の実施の形態について説明する。なお、第１〜第３の実施の形態と同じ構造を有するものについては、同じ符号を付与することによってその説明を省略する。また、前記第１〜第３の実施の形態と同じ動作及び効果についても、その説明を省略する。
【００４９】
図９は本発明の第４の実施の形態における画像処理装置の構成を示すブロック図である。
【００５０】
本実施の形態においては、前記第２及び第３の実施の形態において説明したような原稿が載置された位置に応じた読み取りモード及び画像処理モードを選択する方法において、安易に読み取りモード及び画像処理モードが変更されないようにする方法について説明する。具体的には、パスワード保護手段を設けて、入力されたパスワードが一致した場合にのみ、読み取りモード及び画像処理モードの選択操作を許可するようになっている。
【００５１】
本実施の形態における画像処理装置１０は、記憶部１７にパスワード情報を格納するパスワード情報部１７−３が追加されている。なお、その他の点については、前記第１の実施の形態における画像処理装置１０と同様であるので、説明を省略する。また、パスワード情報部１７−３に格納されるパスワード情報は、通常のパスワード情報と同様に、複数桁の数字による構成を有する。
【００５２】
次に、本実施の形態における画像処理装置１０の動作について説明する。
【００５３】
図１０は本発明の第４の実施形態における画像処理装置の動作を示すフローチャートである。
【００５４】
ここでは、読み取りモード及び画像処理モードを選択する場合におけるパスワード保護制御の動作について説明する。まず、パスワードがパスワード情報部１７−３に既に登録されているか否かが判断され、登録済みであればパスワード入力画面が表示部１４−２に表示される。その後、ユーザによるパスワード入力操作を待ち、登録済みパスワードと入力されたパスワードとが一致しているか否かが判断され、一致していない場合は、パスワード不一致を示すメッセージが一定時間、表示部１４−２に表示された後、再度、パスワード入力画面が表示部１４−２に表示される。また、登録済みパスワードと入力されたパスワードとが一致する場合は、読み取りモード及び画像処理モードの選択を許可し、前記第２の実施の形態において図６に示される読み取りモード及び画像処理モード選択制御の動作に遷移する。
【００５５】
一方、パスワードが登録されていない場合は、読み取りモード及び画像処理モードの選択内容を保護するためのパスワード登録可否を示すメッセージが表示部１４−２に表示され、ユーザによるキー入力待ちとなり、操作部１４−１はオペレーションパネルのキー状態を検出する。ユーザがパスワード保護を望まないことを示すキーが押下された場合は、読み取りモード及び画像処理モードの選択を自由に許可し、図６に示される読み取りモード及び画像処理モード選択制御の動作に遷移する。
【００５６】
また、ユーザがパスワード保護を望むことを示すキーが押下された場合は、パスワード入力画面が表示部１４−２に表示され、ユーザによるパスワード入力操作待ちとなる。そして、あらかじめ決定しているルールに従ってパスワードが入力されなかった場合は、パスワード入力が無効であると判断され、再入力を促すためのメッセージが一定時間表示部１４−２に表示された後、再度、パスワード入力画面が表示部１４−２に表示される。
【００５７】
また、あらかじめ決定しているルールに従ってパスワードが入力された場合は、パスワード情報がパスワード情報部１７−３に登録され、図６に示される読み取りモード及び画像処理モード選択制御の動作に遷移する。
【００５８】
次に、フローチャートについて説明する。
ステップＳ５１  パスワードがパスワード情報部１７−３に既に登録されているか否かを判断する。パスワードがパスワード情報部１７−３に既に登録されている場合はステップＳ５２に進み、パスワードがパスワード情報部１７−３に登録されていない場合はステップＳ５６に進む。
ステップＳ５２  パスワード入力画面を表示部１４−２に表示する。
ステップＳ５３  ユーザのパスワード入力操作を待つ。
ステップＳ５４  登録済みパスワードと入力されたパスワードとが一致するか否かを判断する。登録済みパスワードと入力されたパスワードとが一致する場合は図６のステップＳ２１に進み、登録済みパスワードと入力されたパスワードとが一致しない場合はステップＳ５５に進む。
ステップＳ５５  パスワード不一致を示すメッセージを一定時間表示する。
ステップＳ５６  読み取りモード及び画像処理モードの選択内容を保護するためのパスワード登録可否を示すメッセージを表示する。
ステップＳ５７  オペレーションパネルのキー状態を検出する。
ステップＳ５８  パスワード保護を実施するか否かを判断する。パスワード保護を実施する場合はステップＳ５９に進み、パスワード保護を実施しない場合は図６のステップＳ２１に進む。
ステップＳ５９  パスワード入力画面を表示部１４−２に表示する。
ステップＳ６０  ユーザのパスワード入力操作を待つ。
ステップＳ６１  あらかじめ決定しているルールに従ってパスワードが入力されたか否かを判断する。あらかじめ決定しているルールに従ってパスワードが入力された場合はステップＳ６３に進み、あらかじめ決定しているルールに従ってパスワードが入力されなかった場合はステップＳ６２に進む。
ステップＳ６２  パスワード入力が無効であり再入力を促すためのメッセージを一定時間表示する。
ステップＳ６３  パスワード情報をパスワード情報１７−３に登録する。
【００５９】
このように、本実施の形態においては、原稿載置位置に対応する読み取りモード及び画像処理モードの変更に際し、パスワードによって変更操作を保護するようになっている。そのため、管理者のみが読み取りモード及び画像処理モードを変更することができ、一般のユーザが変更することができないような仕組みを構築することができる。これにより、安易に読み取りモード及び画像処理モードが変更されることによる混乱が回避することができる。その結果として、読み取り結果及び画像処理結果のミスによるやり直し回数の削減にもつながる。
【００６０】
次に、本発明の第５の実施の形態について説明する。なお、第１〜第４の実施の形態と同じ構造を有するものについては、同じ符号を付与することによってその説明を省略する。また、前記第１〜第４の実施の形態と同じ動作及び効果についても、その説明を省略する。
【００６１】
図１１は、本発明の第５の実施の形態における画像処理装置の構成を示すブロック図、図１２は本発明の第５の実施の形態における原稿の載置位置に応じた拡縮モードの例を示す図である。
【００６２】
本実施の形態においては、原稿載置台に二枚の原稿を載置して、読み取った第１原稿を第２原稿のサイズに拡大又は縮小する方法について説明する。そして、本実施の形態における画像処理装置１０では、原稿検出部１５に原稿の枚数を検出する原稿枚数検出部１５−４が追加されている。また、前記画像処理装置１０は、第１原稿サイズから第２原稿サイズへの拡縮率を計算して算出する画像拡縮率算出部５１、及び、画像の密度変換などの加工を行う画像拡縮処理部５２を有する。なお、画像処理部１８及び動作モード選択部１６が省略され、また、記憶部１７の読み取りモード部１７−１及び画像処理モード部１７−２も省略されている。
【００６３】
ここで、前記画像処理装置１０は、図１２に示される表のように、原稿載置台に載置された原稿の位置に応じて、拡縮率を選択するようになっている。図１２に示される表において、６１は第１原稿及び第２原稿位置コラムであり、原稿載置台としてのガラス台６１−５上にある読み取るための原稿としての第１原稿６１−１、及び、媒体としての記録紙であり、拡縮後のサイズを示す原稿としての第２原稿６１−３の位置をパターン化して図示している。この場合、第１原稿６１−１及び第２原稿６１−３を載置する基準位置をあらかじめ規定しておくようになっている。さらに、６２は拡縮判断例コラムであり、第１原稿サイズコラム６２−１、第２原稿サイズコラム６２−２、拡縮モードコラム６２−３及び拡縮率コラム６２−４を備える。
【００６４】
そして、例えば、ガラス台６１−５の向かって左奥を基準位置６１−２として第１原稿６１−１を載置し、向かって右奥を基準位置６１−４として第２原稿６１−３を載置する。ここで、第１原稿６１−１のサイズがＡ４であり、第２原稿６１−３のサイズがＡ５であると検出された場合、拡縮はＡ４→Ａ５となり、拡縮率は７０〔％〕となる。このように、第１原稿６１−１のサイズと第２原稿６１−３のサイズが検出されることによって、拡縮モード及び拡縮率が決定される。
【００６５】
次に、本実施の形態における画像処理装置１０の動作について説明する。
【００６６】
図１３は本発明の第５の実施形態における画像処理装置の動作を示すフローチャートである。
【００６７】
ここでは、画像読み取り制御について説明する。なお、画像処理装置１０が他の動作を行っていない待機状態であることを前提に説明するが、他の動作中であっても多重動作が許可されているのであれば、同一の画像読み取り制御を適用することができる。
【００６８】
まず、表示部１４−２には、待機状態であることを示す表示が行われる。そして、原稿有無検出部１５−１は、原稿有無検出を実行して、ガラス台６１−５上の原稿があるか否かを判断する。そして、原稿がないと判断した場合、操作部１４−１がオペレーションパネルのキー状態を検出し、キーが押下されているか否か、すなわち、キー押下の有無を判断する。ここで、キーが押下されていない場合は、再び、前記原稿有無検出部１５−１が原稿の有無を検出する。また、キーが押下されている場合はキー押下処理が実行される。
【００６９】
また、原稿があると判断した場合、原稿枚数検出部１５−４が原稿枚数検出を実行し、原稿が二枚であるか否かを判断する。そして、一枚又は三枚以上の原稿と判断した場合は通常の画像読み取り制御へ遷移する。また、二枚の原稿と判断した場合は、原稿位置検出部１５−２が両原稿位置検出を実行する。そして、二枚の原稿のそれぞれがあらかじめ規定してある基準位置に従って載置されていない場合は、原稿の再載置を示すメッセージを表示部１４−２に表示して処理を終了する。また、二枚の原稿が基準位置に従って載置されている場合、原稿サイズ検出部１５−３が第２原稿６１−３のサイズ検出を行い、記録紙がセットされているカセットに第２原稿６１−３と同一サイズの記録紙が存在しているかが判断される。そして、存在していない場合は第２原稿６１−３と同一サイズの記録紙をカセットにセットすることを示すメッセージを表示部１４−２に表示して処理を終了する。
【００７０】
また、第２原稿６１−３と同一サイズの記録紙が存在している場合は、原稿サイズ検出部１５−３が第１原稿６１−１のサイズ検出を行う。続いて、第１原稿６１−１のサイズと第２原稿６１−３のサイズとに基づいて、拡縮率が算出され、第１原稿６１−１のサイズ、第２原稿６１−３のサイズ及び拡縮率が、ユーザに確認させるために、表示部１４−２に表示される。続いて、操作部１４−１がオペレーションパネルのキー状態を検出し、スタートキーが押下されているか否か、すなわち、スタートキー押下の有無を判断する。ここで、スタートキーが押下されている場合は、原稿読み取り部１３が原稿読み取りを実行する。そして、原稿読み取りが完了した後、例えば、拡縮率が１００〔％〕でない場合など、読み取り画像の密度変換を伴う画像加工処理が必要な場合には、画像処理部１８が必要な画像加工処理を実行する。
【００７１】
また、スタートキーが押下されていない場合、操作部１４−１はその他のキーが押下されているか否か、すなわち、他キー押下の有無を判断する。そして、その他のキーが押下されている場合はキー押下処理が実行される。また、その他のキーが押下されていない場合は、再度、原稿有無検出が実行され、原稿が取り除かれた場合は待機状態に戻る。一方、原稿があると判断した場合、原稿枚数検出部１５−４が原稿枚数検出を実行し、原稿が二枚であるか否かを判断する。そして、一枚又は三枚以上の原稿と判断した場合は、一度確定した二枚の原稿が存在している状態から変化があったとして、待機状態に戻る。また、二枚の原稿と判断した場合は、再度、操作部１４−１がオペレーションパネルのキー状態を検出する。
【００７２】
なお、あらかじめ規定してある第１原稿６１−１及び第２原稿６１−３の載置基準位置については、第２の実施の形態において説明したように自由に選択させるようにすることもできる。さらに、第４の実施の形態において説明したような、パスワードによって載置基準位置の変更操作を保護するようにすることもできる。
【００７３】
次に、フローチャートについて説明する。
ステップＳ７１  待機状態であることを示す表示を行う。
ステップＳ７２  ガラス台６１−５上の原稿有無を検出する。
ステップＳ７３  原稿を検出したか否かを判断する。原稿を検出した場合はステップＳ７６に進み、原稿を検出していない場合はステップＳ７４に進む。
ステップＳ７４  オペレーションパネルのキー状態を検出をする。
ステップＳ７５  キー押下があるか否かを判断する。キー押下がある場合はステップＳ９８に進み、キー押下がない場合はステップＳ７２に戻る。
ステップＳ７６  原稿枚数の検出を行う。
ステップＳ７７  原稿が二枚あるか否かを判断する。原稿が二枚ある場合はステップＳ７９に進み、原稿が一枚又は三枚以上の場合はステップＳ７８に進む。
ステップＳ７８  通常の画像読み取り制御へ遷移する。
ステップＳ７９  両原稿位置検出を実行する。
ステップＳ８０  二枚の原稿のそれぞれの位置があらかじめ規定してある基準位置に従って載置されているか否かを判断する。規定してある基準位置に従って載置されている場合はステップＳ８２に進み、規定してある基準位置に従って載置されていない場合はステップＳ８１に進む。
ステップＳ８１  原稿の再載置を示すメッセージを表示部１４−２に表示して処理を終了する。
ステップＳ８２  第２原稿６１−３のサイズ検出を行う。
ステップＳ８３  記録紙がセットされているカセットに第２原稿６１−３と同一サイズの記録紙が存在しているか否かを判断する。同一サイズの記録紙が存在している場合はステップＳ８５に進み、同一サイズの記録紙が存在していない場合はステップＳ８４に進む。
ステップＳ８４  第２原稿６１−３と同一サイズの記録紙をカセットにセットすることを示すメッセージを表示部１４−２に表示して、処理を終了する。
ステップＳ８５  第１原稿６１−１のサイズ検出を行う。
ステップＳ８６  第１原稿６１−１のサイズと第２原稿６１−３のサイズから拡縮率を算出する。
ステップＳ８７  第１原稿６１−１のサイズ、第２原稿６１−３のサイズ及び拡縮率をユーザに確認させるために表示部１４−２に表示する。
ステップＳ８８  オペレーションパネルのキー状態を検出する。
ステップＳ８９  スタートキーが押下されたか否かを判断する。スタートキーが押下された場合はステップＳ９０に進み、スタートキーが押下されなかった場合はステップＳ９３に進む。
ステップＳ９０  原稿の読み取りを行う。
ステップＳ９１  拡縮率が１００〔％〕であるか否かを判断する。拡縮率が１００〔％〕である場合は処理を終了し、拡縮率が１００〔％〕でない場合はステップＳ９２に進む。
ステップＳ９２  画像拡縮処理を行う。
ステップＳ９３  その他のキーが押下されているか否かを判断する。その他のキーが押下されている場合はステップＳ９８へ進み、その他のキーが押下されていない場合はステップＳ９４に進む。
ステップＳ９４  ガラス台６１−５上の原稿有無を検出する。
ステップＳ９５  原稿を検出したか否かを判断する。原稿を検出した場合はステップＳ９６に進み、原稿を検出していない場合はステップＳ７１に戻る。
ステップＳ９６  原稿枚数の検出を行う。
ステップＳ９７  原稿が二枚あるか否かを判断する。原稿が二枚ある場合はステップＳ８８に戻り、原稿が一枚又は三枚以上の場合はステップＳ７１に戻る。
ステップＳ９８  キー押下処理が実行される。
【００７４】
このように、本実施の形態においては、第１原稿６１−１と第２原稿６１−３の二枚の原稿を載置した場合に、第１原稿６１−１を読み取って第２原稿６１−３のサイズに拡縮することによって、ユーザの拡縮に関する設定操作を不要とし、操作の簡略化及び所要時間の短縮を図ることができる。また、第２原稿６１−３を用いることによって、ユーザ自らが読み取り結果の大きさを視覚的に理解しやすくなり、使い勝手が向上し、設定ミスを低減することができる。
【００７５】
次に、本発明の第６の実施の形態について説明する。なお、第１〜第５の実施の形態と同じ構造を有するものについては、同じ符号を付与することによってその説明を省略する。また、前記第１〜第５の実施の形態と同じ動作及び効果についても、その説明を省略する。
【００７６】
図１４は、本発明の第６の実施の形態における画像処理装置の構成を示すブロック図である。
【００７７】
本実施の形態においては、複数ページの原稿を読み取る場合に、１ページ目の第１原稿を載置する際に第２原稿サイズを記録しておき、２ページ目以降の第１原稿を載置する際に第２原稿の載置を省略することができる方法について説明する。そして、本実施の形態における画像処理装置１０では、記憶部１７に、第１原稿から第２原稿への拡縮率情報エリア１７−４と、第２原稿サイズ情報エリア１７−５とが追加されている。なお、その他の構成は第５の実施の形態と同じであるので、その説明を省略する。
【００７８】
次に、本実施の形態における画像処理装置１０の動作について説明する。
【００７９】
図１５は本発明の第６の実施形態における画像処理装置の動作を示すフローチャートである。
【００８０】
ここでは、画像読み取り制御について説明する。表示部１４−２には、待機状態であることを示す表示が行われる。そして、原稿有無検出部１５−１は、原稿有無検出を実行して、原稿載置台上の原稿があるか否かを判断する。そして、原稿がないと判断した場合、操作部１４−１がオペレーションパネルのキー状態を検出し、キーが押下されているか否か、すなわち、キー押下の有無を判断する。ここで、キーが押下されていない場合は、再び、前記原稿有無検出部１５−１が原稿の有無を検出する。また、キーが押下されている場合はキー押下処理が実行される。
【００８１】
また、原稿があると判断した場合、原稿枚数検出部１５−４が原稿枚数検出を実行し、原稿が二枚であるか否かを判断する。そして、二枚でない場合であり、三枚以上の原稿と判断した場合には、原稿の再載置を示すメッセージを表示部１４−２に表示して処理を終了する。また、原稿が一枚であると判断した場合、拡縮率が拡縮率情報エリア１７−４に登録済みであるか、すなわち、２ページ目以降の第１原稿６１−１のみが載置されているかが判断される。そして、拡縮率が登録済みであれば、原稿位置検出部１５−２が第１原稿６１−１の位置を検出する。ここで、第１原稿６１−１があらかじめ規定された基準位置に従って載置されている場合は、第５の実施の形態における図１３に示される画像読み取り制御に遷移し、操作部１４−１がオペレーションパネルのキー状態を検出する。また、第１原稿６１−１の載置が規定位置外の場合は、原稿の再載置を示すメッセージを表示部１４−２に表示して処理を終了する。
【００８２】
そして、原稿が二枚であるか否かを判断して二枚の原稿と判断した場合は、原稿位置検出部１５−２が両原稿位置検出を実行する。そして、二枚の原稿のそれぞれがあらかじめ規定してある基準位置に従って載置されていない場合は、二枚の原稿の再載置を示すメッセージを表示部１４−２に表示して処理を終了する。また、二枚の原稿が基準位置に従って載置されている場合、原稿サイズ検出部１５−３が第２原稿サイズ検出を行い、記録紙がセットされているカセットに第２原稿６１−３と同一サイズの記録紙が存在しているか否かが判断される。そして、存在していない場合は第２原稿６１−３と同一サイズの記録紙をカセットにセットすることを示すメッセージを表示部１４−２に表示して処理を終了する。
【００８３】
また、第２原稿６１−３と同一サイズの記録紙が存在している場合は、第２原稿６１−３のサイズを第２原稿サイズ情報エリア１７−５に格納する。続いて、原稿サイズ検出部１５−３が第１原稿６１−１のサイズ検出を行う。そして、第１原稿６１−１のサイズと第２原稿６１−３のサイズとに基づいて、拡縮率が算出され、該拡縮率を拡縮率情報エリア１７−４に格納する。続いて、第１原稿６１−１のサイズ、第２原稿６１−３のサイズ及び拡縮率が、ユーザに確認させるために、表示部１４−２に表示され、第５の実施の形態における図１３に示される画像読み取り制御に遷移する。
【００８４】
次に、フローチャートについて説明する。
ステップＳ１０１  待機状態であることを示す表示を行う。
ステップＳ１０２  原稿載置台上の原稿有無を検出する。
ステップＳ１０３  原稿を検出したか否かを判断する。原稿を検出した場合はステップＳ１０７に進み、原稿を検出していない場合はステップＳ１０４に進む。
ステップＳ１０４  オペレーションパネルのキー状態を検出する。
ステップＳ１０５  キー押下があるか否かを判断する。キー押下がある場合はステップＳ１０６に進み、キー押下がない場合はステップＳ１０２に戻る。
ステップＳ１０６  キー押下処理が実行される。
ステップＳ１０７  原稿枚数の検出を行う。
ステップＳ１０８  原稿が二枚あるか否かを判断する。原稿が二枚ある場合はステップＳ１０９に進み、原稿が一枚又は三枚以上の場合はステップＳ１２１に進む。
ステップＳ１０９  両原稿位置検出を実行する。
ステップＳ１１０  二枚の原稿のそれぞれの位置があらかじめ規定してある基準位置に従って載置されているか否かを判断する。規定してある基準位置に従って載置されている場合はステップＳ１１２に進み、規定してある基準位置に従って載置されていない場合はステップＳ１１１に進む。
ステップＳ１１１  第１原稿６１−１と第２原稿６１−３の再載置を示すメッセージを表示部１４−２に表示して処理を終了する。
ステップＳ１１２  第２原稿６１−３のサイズ検出を行う。
ステップＳ１１３  記録紙がセットされているカセットに第２原稿６１−３と同一サイズの記録紙が存在しているか否かを判断する。同一サイズの記録紙が存在している場合はステップＳ１１５に進み、同一サイズの記録紙が存在していない場合はステップＳ１１４に進む。
ステップＳ１１４  第２原稿６１−３と同一サイズの記録紙をカセットにセットすることを示すメッセージを表示部１４−２に表示して、処理を終了する。
ステップＳ１１５  第２原稿６１−３のサイズを第２原稿サイズ情報エリア１７−５に格納する。
ステップＳ１１６  第１原稿６１−１のサイズ検出を行う。
ステップＳ１１７  第１原稿６１−１のサイズと第２原稿６１−３のサイズから拡縮率を算出する。
ステップＳ１１８  拡縮率を拡縮率情報エリア１７−４に格納する。
ステップＳ１１９  第１原稿６１−１のサイズ、第２原稿６１−３のサイズ及び拡縮率をユーザに確認させるために表示部１４−２に表示する。
ステップＳ１２０  図１３のステップＳ８８へ遷移する。
ステップＳ１２１  原稿が三枚以上あるか否かを判断する。原稿が三枚以上ある場合はステップＳ１２５へ進み、原稿が三枚以上でない場合はステップＳ１２２に進む。
ステップＳ１２２  拡縮率が拡縮率情報エリア１７−４に登録してあるか否かを判断する。拡縮率が拡縮率情報エリア１７−４に登録してある場合はステップＳ１２３へ進み、拡縮率が拡縮率情報エリア１７−４に登録していない場合はステップＳ１２６へ進む。
ステップＳ１２３  第１原稿６１−１の位置を検出する。
ステップＳ１２４  第１原稿６１−１があらかじめ規定してある基準位置に従って載置されているか否かを判断する。規定してある基準位置に従って載置されている場合はステップＳ１２０へ進み、規定してある基準位置に従って載置されていない場合はステップＳ１２５に進む。
ステップＳ１２５  原稿の再載置を示すメッセージを表示部１４−２に表示して、処理を終了する。
ステップＳ１２６  図４のステップＳ１へ遷移する。
【００８５】
このように、本実施の形態においては、第１原稿６１−１の２ページ目以降を載置する際に、第２原稿６１−３の載置操作を省略することができるようになっている。そのため、通常の複合機操作と同様に、読み取り対象の原稿を載置する操作を行うだけで、前記第５の実施の形態と同様の効果を得ることができ、複数ページの原稿を読み取る場合に、拡縮設定操作の簡略化及び所要時間の短縮を図ることができる。
【００８６】
次に、本発明の第７の実施の形態について説明する。なお、第１〜第６の実施の形態と同じ構造を有するものについては、同じ符号を付与することによってその説明を省略する。また、前記第１〜第６の実施の形態と同じ動作及び効果についても、その説明を省略する。
【００８７】
図１６は本発明の第７の実施の形態における原稿の載置位置に応じた拡縮モードの例を示す図である。
【００８８】
本実施の形態では、前記第５の実施の形態において説明した第１原稿６１−１のサイズから第２原稿６１−３のサイズへ拡大又は縮小する場合に、拡縮率に応じて読み取り解像度を切り替える方法について説明する。この場合、前記画像処理装置１０は、図１６に示される表のように、原稿載置台としてのガラス台６１−５に載置された原稿の位置に応じて、拡縮率及び読み取り解像度を選択するようになっている。なお、図１６において６２−５は、選択された読み取り解像度を示す選択された読み取り解像度コラムである。また、図１６における他の点は、前記第５の実施の形態おける図１２と同様なので説明を省略する。
【００８９】
図１６には、例として、第１原稿６１−１のサイズがＡ４、第２原稿６１−３のサイズがＡ６及び拡縮率が５０〔％〕である場合、並びに、第１原稿６１−１のサイズがＡ６、第２原稿６１−３のサイズがＡ４及び拡縮率が２００〔％〕である場合が示されている。また、拡縮率が５０〔％〕の場合は、主走査方向及び副走査方向のドット密度が１／２となるため、例えば、読み取り解像度コラムに示される選択された読み取り解像度が２００〔ｄｐｉ〕であれば１００〔〔ｄｐｉ〕〕での読み取りに切り替え、同様に６００〔ｄｐｉ〕であれば３００〔ｄｐｉ〕に切り替える。さらに、拡縮率が２００〔％〕の場合は、主走査方向及び副走査方向のドット密度が２倍となるため、例えば、選択された読み取り解像度が２００〔ｄｐｉ〕であれば４００〔ｄｐｉ〕での読み取りに切り替え、同様に６００〔ｄｐｉ〕であれば１２００〔ｄｐｉ〕に切り替える。
【００９０】
次に、本実施の形態における画像処理装置１０の動作について説明する。
【００９１】
図１７は本発明の第７の実施形態における画像処理装置の動作を示すフローチャートである。
【００９２】
ここでは、画像読み取り解像度切り替え制御について説明する。なお、該画像読み取り解像度切り替え制御は、前記第６の実施の形態において図１５に示されるフローチャートのステップＳ１１８とステップＳ１１９との間に当てはめることができる。
【００９３】
まず、拡縮率情報エリア１７−４に格納されている拡縮率情報が取り出され、拡縮率が５０〔％〕縮小であるか否かが判断される。そして、５０〔％〕縮小である場合は、読み取り解像度を１/ ２に切り替えて、読み取った画像データの密度変換のための画像処理が不要であることを示すステータス情報を設定して、処理を終了する。
【００９４】
また、５０〔％〕縮小でない場合は、さらに、拡縮率が２００〔％〕拡大であるか否かが判断される。そして、２００〔％〕拡大の場合は、読み取り解像度を２倍に切り替えて、同様に読み取った画像データの密度変換のための画像処理が不要であることを示すステータス情報を設定して、処理を終了する。また、２００〔％〕拡大でない場合は、読み取った画像データの密度変換のための画像処理がが必要であることを示すステータス情報を設定して、処理を終了する。なお、密度変換の要否に関する設定情報は、画像拡縮処理の実行要否の条件となる。
【００９５】
次に、フローチャートについて説明する。
ステップＳ１３１  拡縮率情報エリア１７−４に格納されている拡縮率情報を取り出す。
ステップＳ１３２  拡縮率が５０〔％〕縮小であるか否かを判断する。拡縮率が５０〔％〕縮小である場合はステップＳ１３３に進み、拡縮率が５０〔％〕縮小でない場合はステップＳ１３５に進む。
ステップＳ１３３  読み取り解像度を１/ ２に切り替える。
ステップＳ１３４  読み取った画像データの密度変換が不要であることを示すステータス情報を設定して、処理を終了する。
ステップＳ１３５  拡縮率が２００〔％〕拡大であるか否かを判断する。拡縮率が２００〔％〕拡大である場合はステップＳ１３６に進み、拡縮率が２００〔％〕拡大でない場合はステップＳ１３７に進む。
ステップＳ１３６  読み取り解像度を２倍に切り替える。
ステップＳ１３７  読み取った画像データの密度変換が必要であることを示すステータス情報を設定して、処理を終了する。
【００９６】
このように、本実施の形態においては、拡縮率に従って読み取り解像度を切り替えるようになっている。これにより、密度変換のための画像処理が不要となる場合があるので、画像の読み取り結果を得るまでの時間短縮を図ることができる。
【００９７】
次に、本発明の第８の実施の形態について説明する。なお、第１〜第７の実施の形態と同じ構造を有するものについては、同じ符号を付与することによってその説明を省略する。また、前記第１〜第７の実施の形態と同じ動作及び効果についても、その説明を省略する。
【００９８】
図１８は本発明の第８の実施の形態における原稿の載置位置に応じた読み取りモード及び画像処理モードの例を示す図である。
【００９９】
ところで、前記第１の実施の形態では、原稿載置台としてのガラス台２２−２に載置された原稿２２−１の位置に応じて、読み取りモード及び画像処理モードを選択する方法について説明したが、本実施の形態では、原稿２２−１をＡＤＦの原稿載置台に載置した場合について説明する。
【０１００】
図１８において、原稿位置コラム２２には、原稿載置台としてのＡＤＦ２２−３上にある原稿２２−１の位置がパターン化されて図示されている。ここでは、ＡＤＦ２２−３の左側に給紙ローラが実装されていることを前提にしている。この場合、原稿２２−１の左辺をＡＤＦ２２−３の給紙ローラ部に接触するように載置することになり、奥側を基準にして縦置きしたものが原稿位置パターン番号１に示される例である。そして、モード要因例コラム２３に示されるように、読み取りモード及び画像処理モードの要因として、色はグレースケールが割り当てられ、解像度は３００〔ｄｐｉ〕が割り当てられている。その結果、選択モードコラム２４に示される選択される読み取りモード及び画像処理モードは、「３００〔ｄｐｉ〕のグレースケール」となる。その他の載置例としては、原稿ガイドをセンタ合わせにして給紙部の中心に載置したり、原稿２２−１を横置きにすることも可能である。
【０１０１】
次に、本実施の形態における画像処理装置１０の動作について説明する。
【０１０２】
図１９は本発明の第８の実施形態における画像処理装置の動作を示すフローチャートである。
【０１０３】
本実施の形態においては、画像読み取り制御について説明する。ここでは、前記第１の実施の形態における図４に示されるフローチャートと異なる部分について説明する。
【０１０４】
まず、表示部１４−２に待機状態であることを示す表示が行われてから、スタートキー押下の有無を判断するまでの動作は、前記第１の実施の形態と同様である。そして、スタートキーが押下されている場合は、原稿２２−１がＡＤＦ２２−３の給紙ローラ部から読み取りを行う位置まで搬送され、原稿読み取り部１３が原稿読み取りを実行した後、原稿２２−１が排出される。続いて、画像処理が選択されている場合、画像処理部１８は必要な画像処理を行う。続いて、再度原稿２２−１の有無が検出され、ＡＤＦ２２−３の原稿載置台に原稿２２−１がある場合は、次の原稿２２−１がＡＤＦ２２−３の給紙ローラ部から読み取りを行う位置まで搬送される。このように、ＡＤＦ２２−３の原稿載置台に載置されている原稿２２−１の検出が続く限り、連続して読み取りが行われる。また、ＡＤＦ２２−３の原稿載置台に原稿２２−１がない場合は処理を終了する。
【０１０５】
なお、ＡＤＦ２２−３には、機構によって、原稿２２−１を読み取り位置であるガラス台まで搬送してガラス台上の原稿を走査して読み取るタイプと、読み取り部を固定して原稿２２−１を搬送させながら読み取るタイプがある。しかし、本実施の形態における画像読み取り制御は、原稿２２−１をＡＤＦ２２−３の原稿載置台に載置した時に原稿位置を検出するようになっているので、いずれのタイプのＡＤＦ２２−３にも適用することができる。
【０１０６】
次に、フローチャートについて説明する。
ステップＳ１４１  待機状態であることを示す表示を行う。
ステップＳ１４２  原稿載置台上の原稿有無を検出する。
ステップＳ１４３  原稿２２−１を検出したか否かを判断する。原稿２２−１を検出した場合はステップＳ１４４に進み、原稿２２−１を検出していない場合はステップＳ１４６に進む。
ステップＳ１４４  原稿位置の検出を行う。
ステップＳ１４５  原稿２２−１が規定位置にあるか否かを判断する。原稿２２−１が規定位置にある場合はステップＳ１４８に進み、原稿２２−１が規定位置にない場合はステップＳ１４６へ進む。
ステップＳ１４６  オペレーションパネルのキー状態を検出する。
ステップＳ１４７  キー押下があるか否かを判断する。キー押下がある場合はステップＳ１６２に進み、キー押下がない場合はステップＳ１４２に戻る。
ステップＳ１４８  読み取りモード及び画像処理モードを選択する。
ステップＳ１４９  選択した読み取りモード及び画像処理モードを表示部１４−２に表示する。
ステップＳ１５０  オペレーションパネルのキー状態を検出する。
ステップＳ１５１  スタートキーが押下されたか否かを判断する。スタートキーが押下された場合はステップＳ１５２に進み、スタートキーが押下されていない場合はステップＳ１５９に進む。
ステップＳ１５２  次の原稿２２ー１をＡＤＦ２２−３の給紙ローラ部から読み取りを行う位置まで搬送する。
ステップＳ１５３  原稿２２ー１の読み取りを行う。
ステップＳ１５４  原稿２２ー１を排出する。
ステップＳ１５５  画像処理が必要か否かを判断する。画像処理が必要な場合はステップＳ１５６に進み、画像処理が必要でない場合はステップＳ１５７に進む。。
ステップＳ１５６  必要な画像処理を行う。
ステップＳ１５７  原稿載置台上の原稿有無を検出する。
ステップＳ１５８  原稿２２ー１を検出したか否かを判断する。原稿２２ー１を検出した場合はステップＳ１５２に戻り、原稿２２ー１を検出していない場合は処理を終了する。
ステップＳ１５９  その他のキーが押下されているか否かを判断する。その他のキーが押下されている場合はステップＳ１６２に進み、その他のキーが押下されていない場合はステップＳ１６０に進む。
ステップＳ１６０  原稿載置台上の原稿有無を検出する。
ステップＳ１６１  原稿２２ー１を検出したか否かを判断する。原稿２２ー１を検出した場合はステップＳ１５０に戻り、原稿２２ー１を検出していない場合はステップＳ１４１に戻る。
ステップＳ１６２  キー押下処理が実行される。
【０１０７】
このように、本実施の形態においては、ＡＤＦ２２−３の原稿載置台に載置された原稿２２−１の位置によって、あらかじめ動作する読み取りモード及び画像処理モードを割り当てておくことによって、第１の実施の形態と同様に、ユーザによる読み取りモード及び画像処理モードの設定操作を不要とし、操作の簡略化及び所要時間の短縮を図ることができる。
【０１０８】
次に、本発明の第９の実施の形態について説明する。なお、第１〜第８の実施の形態と同じ構造を有するものについては、同じ符号を付与することによってその説明を省略する。また、前記第１〜第８の実施の形態と同じ動作及び効果についても、その説明を省略する。
【０１０９】
図２０は本発明の第９の実施の形態における原稿の載置位置に応じた拡縮モードの例を示す図である。
【０１１０】
本実施の形態では、前記第５の実施の形態において説明した原稿載置台に二枚の原稿を載置して読み取った第１原稿を第２原稿のサイズに拡大又は縮小する方法に対して、前記第６の実施の形態にて説明した２ページ目以降の第２原稿の載置を省略するように変更を加えた方法を、さらに、ガラス台とＡＤＦの二つの原稿載置台を備える画像処理装置１０に適用した場合について説明する。
【０１１１】
図２０に示される表の第１原稿及び第２原稿位置コラム６１には、ＡＤＦ６１−６の載置台に載置された第１原稿６１−１及びガラス台６１−５に載置された第２原稿６１−３の位置が示されている。例えば、ＡＤＦ６１−６の載置台にＡ４サイズの第１原稿６１−１を載置し、ガラス台６１−５にＡ５サイズの第２原稿６１−３を載置した場合は、拡縮モードはＡ４→Ａ５となり、拡縮率は７０〔％〕となる。
【０１１２】
次に、本実施の形態における画像処理装置１０の動作について説明する。
【０１１３】
図２１は本発明の第９の実施形態における画像処理装置の動作を示す第１のフローチャート、図２２は本発明の第９の実施形態における画像処理装置の動作を示す第２のフローチャートである。
【０１１４】
ここでは、画像読み取り制御について説明する。なお、前記第５の実施の形態との差異は、ＡＤＦ６１−６の第１原稿６１−１とガラス台６１−５の第２原稿６１−３の有無を個別に検出するようにしたことと、ガラス台６１−５の第２原稿６１−３のサイズと拡縮率を記憶部１７に格納するようにしたことと、読み取り開始を示すスタートキーが押下されたときに、 ガラス台６１−５の第２原稿６１−３を読み取り位置から排出するようにしたことと、ＡＤＦ６１−６の第１原稿６１−１が検出される限り読み取り位置への搬送、読み取り及び排出を繰り返すようにしたことである。
【０１１５】
まず、表示部１４−２には、待機状態であることを示す表示が行われる。そして、原稿有無検出部１５−１は、第１原稿有無検出を実行して、ＡＤＦ６１−６の原稿載置台上に第１原稿６１−１があるか否かを判断する。そして、第１原稿６１−１がないと判断した場合、操作部１４−１がオペレーションパネルのキー状態を検出し、キーが押下されているか否か、すなわち、キー押下の有無を判断する。ここで、キーが押下されていない場合は、再び、前記原稿有無検出部１５−１が第１原稿６１−１の有無を検出する。また、キーが押下されている場合はキー押下処理が実行される。
【０１１６】
そして、第１原稿６１−１がある場合は、続いて、ガラス台６１−５の第２原稿６１−３の検出を実行し、該第２原稿６１−３がないと判断した場合には、第１原稿６１−１の場合と同様の動作を行う。また、第２原稿６１−３がある場合は、原稿位置検出部１５−２が両原稿位置検出を実行する。そして、第１原稿６１−１及び第２原稿６１−３があらかじめ規定してある基準位置に従って載置されていない場合は、原稿の再載置を示すメッセージを表示部１４−２に表示して処理を終了する。また、第１原稿６１−１及び第２原稿６１−３が基準位置に従って載置されている場合、原稿サイズ検出部１５−３が第２原稿６１−３のサイズ検出を行い、記録紙がセットされているカセットに第２原稿６１−３と同一サイズの記録紙が存在しているかが判断される。そして、存在していない場合は第２原稿６１−３と同一サイズの記録紙をカセットにセットすることを示すメッセージを表示部１４−２に表示して処理を終了する。
【０１１７】
また、第２原稿６１−３と同一サイズの記録紙が存在している場合は、第２原稿６１−３のサイズを第２原稿サイズ情報エリア１７−５に格納する。続いて、原稿サイズ検出部１５−３が第１原稿６１−１のサイズ検出を行う。そして、第１原稿６１−１のサイズと第２原稿６１−３のサイズとに基づいて、拡縮率が算出され、該拡縮率を拡縮率情報エリア１７−４に格納する。続いて、第１原稿６１−１のサイズ、第２原稿６１−３のサイズ及び拡縮率が、ユーザに確認させるために、表示部１４−２に表示される。続いて、操作部１４−１がオペレーションパネルのキー状態を検出し、スタートキーが押下されているか否か、すなわち、スタートキー押下の有無を判断する。
【０１１８】
そして、スタートキーが押下されていない場合、操作部１４−１はその他のキーが押下されているか否か、すなわち、他キー押下の有無を判断する。そして、その他のキーが押下されている場合はキー押下処理が実行される。また、その他のキーが押下されていない場合は、再度、第１原稿有無検出及び第２原稿有無検出が実行される。そして、第１原稿６１−１又は第２原稿６１−３が取り除かれた場合は待機状態に戻る。また、第１原稿６１−１及び第２原稿６１−３があると判断した場合は、再度、操作部１４−１がオペレーションパネルのキー状態を検出する。
【０１１９】
一方、スタートキーが押下されている場合は、ガラス台上の第２原稿６１−３が排出され、ＡＤＦの原稿載置台上の第１原稿６１−１が読み取り位置であるガラス台まで搬送される。続いて、原稿読み取り部１３が原稿読み取りを実行した後、ガラス台上の第１原稿６１−１が排出される。そして、原稿読み取りが完了した後、例えば、拡縮率が１００〔％〕でない場合など、読み取り画像の密度変換を伴う画像加工処理が必要な場合には、画像処理部１８が必要な画像処理を実行する。続いて、再度、原稿有無検出部１５−１は、第１原稿有無検出を実行して、ＡＤＦの原稿載置台上に第１原稿６１−１があるか否かを判断するそして、第１原稿６１−１が存在している場合は、次の第１原稿６１−１が読み取り位置であるガラス台まで搬送される。また、第１原稿６１−１が存在していない場合は、処理を終了する。
【０１２０】
次に、フローチャートについて説明する。
ステップＳ１７１  待機状態であることを示す表示を行う。
ステップＳ１７２  ＡＤＦ６１−６の第１原稿有無を検出する。
ステップＳ１７３  第１原稿６１−１を検出したか否かを判断する。第１原稿６１−１を検出した場合はステップＳ１７６に進み、第１原稿６１−１を検出していない場合はステップＳ１７４に進む。
ステップＳ１７４  オペレーションパネルのキー状態を検出する。
ステップＳ１７５  キー押下があるか否かを判断する。キー押下がある場合はステップＳ１９６に進み、キー押下がない場合はステップＳ１７２に戻る。
ステップＳ１７６  ガラス台６１−５の第２原稿有無を検出する。
ステップＳ１７７  第２原稿６１−３を検出したか否かを判断する。第２原稿６１−３を検出した場合はステップＳ１７８に進み、第２原稿６１−３を検出していない場合はステップＳ１７４に戻る。
ステップＳ１７８  両原稿位置検出を実行する。
ステップＳ１７９  二枚の原稿のそれぞれの位置があらかじめ規定してある基準位置に従って載置されているか否かを判断する。規定してある基準位置に従って載置されている場合はステップＳ１８１に進み、規定してある基準位置に従って載置されていない場合はステップＳ１８０に進む。
ステップＳ１８０  原稿の再載置を示すメッセージを表示部１４−２に表示して、処理を終了する。
ステップＳ１８１  第２原稿６１−３のサイズ検出を行う。
ステップＳ１８２  記録紙がセットされているカセットに第２原稿６１−３と同一サイズの記録紙が存在しているか否かを判断する。同一サイズの記録紙が存在している場合はステップＳ１８４に進み、同一サイズの記録紙が存在していない場合はステップＳ１８３に進む。
ステップＳ１８３  第２原稿６１−３と同一サイズの記録紙をカセットにセットすることを示すメッセージを表示部１４−２に表示して、処理を終了する。
ステップＳ１８４  第２原稿６１−３のサイズを第２原稿サイズ情報エリア１７−５に格納する。
ステップＳ１８５  第１原稿６１−１のサイズ検出を行う。
ステップＳ１８６  第１原稿６１−１と第２原稿６１−３のサイズから拡縮率を算出する。
ステップＳ１８７  拡縮率を拡縮率情報エリア１７−４に格納する。
ステップＳ１８８  第１原稿６１−１のサイズ、第２原稿６１−３のサイズ及び拡縮率をユーザに確認させるために表示部１４−２に表示する。
ステップＳ１８９  オペレーションパネルのキー状態を検出する。
ステップＳ１９０  スタートキーが押下されたか否かを判断する。スタートキーが押下された場合はステップＳ１９７に進み、スタートキーが押下されなかった場合はステップＳ１９１に進む。
ステップＳ１９１  その他のキーが押下されているか否かを判断する。その他のキーが押下されている場合はステップＳ１９６へ進み、その他のキーが押下されていない場合はステップＳ１９２に進む。
ステップＳ１９２  ＡＤＦ６１−６の第１原稿有無を検出する。
ステップＳ１９３  第１原稿６１−１を検出したか否かを判断する。第１原稿６１−１を検出した場合はステップＳ１９４に進み、第１原稿６１−１を検出していない場合はステップＳ１７１に戻る。
ステップＳ１９４  ガラス台６１−５の第２原稿有無を検出する。
ステップＳ１９５  第２原稿６１−３を検出したか否かを判断する。第２原稿６１−３を検出した場合はステップＳ１８９に戻り、第２原稿６１−３を検出していない場合はステップＳ１７１に戻る。
ステップＳ１９６  キー押下処理が実行される。
ステップＳ１９７  ガラス台６１−５上に存在している第２原稿６１−３を排出する。
ステップＳ１９８  ＡＤＦ６１−６の第１原稿６１−１を読み取り位置であるガラス台６１−５まで搬送する。
ステップＳ１９９  第１原稿６１−１の読み取りを行う。
ステップＳ２００  第１原稿６１−１を排出する。
ステップＳ２０１  拡縮率が１００〔％〕であるか否かを判断する。拡縮率が１００〔％〕である場合はステップＳ２０３に進み、拡縮率が１００〔％〕でない場合はステップＳ２０２に進む。
ステップＳ２０２  画像拡縮処理を行う。
ステップＳ２０３  ＡＤＦ６１−６の第１原稿有無を検出する。
ステップＳ２０４  第１原稿６１−１を検出したか否かを判断する。第１原稿６１−１を検出した場合はステップＳ１９８に戻り、第１原稿６１−１を検出していない場合は処理を終了する。
【０１２１】
このように、本実施の形態においては、ＡＤＦ６１−６に読み取り原稿である第１原稿６１−１を載置し、ガラス台６１−５に拡縮対象サイズとなる第２原稿６１−３を載置することにより、複数ページの原稿を読み取る場合に、拡縮設定操作の簡略化及び所要時間の短縮を図ることができる。また、ＡＤＦ６１−６に読み取り原稿をまとめて載置することができるので、第６の実施の形態のように、ガラス台６１−５に二枚の原稿を裁置する場合に必要とされるページ毎の原稿取り替え作業が不要となり、煩わしさを解消することができる。
【０１２２】
なお、前記第１〜第９の実施の形態においては、画像処理装置１０が画像を読み取るための原稿載置台を備える複合機である場合について説明したが、本発明は、画像処理装置１０が複合機である場合に限定されず、スキャナなどの読み取り装置、ファクシミリ装置、複写機にも適用可能である。また、二枚の原稿が重なることなく載置可能な原稿載置台、又は、ガラス台とＡＤＦとを実装したスキャナなどの読み取り装置、ファクシミリ装置、複写機にも適用可能である。
【０１２３】
さらに、本発明が適用される画像処理装置１０は、読み取り部と印刷部が分かれているセパレート型であってもよいし、読み取り部と印刷部が一体となった一体型であってもよい。
【０１２４】
なお、本発明は前記実施の形態に限定されるものではなく、本発明の趣旨に基づいて種々変形させることが可能であり、それらを本発明の範囲から排除するものではない。
【図面の簡単な説明】
【０１２５】
【図１】本発明の第１の実施の形態における画像処理装置の構成を示すブロック図である。
【図２】本発明の第１の実施の形態における原稿の載置位置に応じた読み取りモード及び画像処理モードの例を示す図である。
【図３】本発明の第１の実施の形態における読み取りモード及び画像処理モードのデータ構造を示す図である。
【図４】本発明の第１の実施形態における画像処理装置の動作を示すフローチャートである。
【図５】本発明の第２の実施の形態における読み取りモード及び画像処理モードのデータ構造を示す図である。
【図６】本発明の第２の実施形態における画像処理装置の動作を示すフローチャートである。
【図７】本発明の第３の実施の形態における読み取りモード及び画像処理モードのデータ構造を示す図である。
【図８】本発明の第３の実施形態における画像処理装置の動作を示すフローチャートである。
【図９】本発明の第４の実施の形態における画像処理装置の構成を示すブロック図である。
【図１０】本発明の第４の実施形態における画像処理装置の動作を示すフローチャートである。
【図１１】本発明の第５の実施の形態における画像処理装置の構成を示すブロック図である。
【図１２】本発明の第５の実施の形態における原稿の載置位置に応じた拡縮モードの例を示す図である。
【図１３】本発明の第５の実施形態における画像処理装置の動作を示すフローチャートである。
【図１４】本発明の第６の実施の形態における画像処理装置の構成を示すブロック図である。
【図１５】本発明の第６の実施形態における画像処理装置の動作を示すフローチャートである。
【図１６】本発明の第７の実施の形態における原稿の載置位置に応じた拡縮モードの例を示す図である。
【図１７】本発明の第７の実施形態における画像処理装置の動作を示すフローチャートである。
【図１８】本発明の第８の実施の形態における原稿の載置位置に応じた読み取りモード及び画像処理モードの例を示す図である。
【図１９】本発明の第８の実施形態における画像処理装置の動作を示すフローチャートである。
【図２０】本発明の第９の実施の形態における原稿の載置位置に応じた拡縮モードの例を示す図である。
【図２１】本発明の第９の実施形態における画像処理装置の動作を示す第１のフローチャートである。
【図２２】本発明の第９の実施形態における画像処理装置の動作を示す第２のフローチャートである。
【符号の説明】
【０１２６】
１０    画像処理装置
１２    画像印刷部
１３    原稿読み取り部
１４−２    表示部
１５    原稿検出部
１５−２    原稿位置検出部
１５−３    原稿サイズ検出部
１６−１    読み取りモード選択部
１６−２    画像処理モード選択部
２２−１    原稿
２２−２、６１−５    ガラス台
２２−３、６１−６    ＡＤＦ
５２    画像拡縮処理部
６１−１    第１原稿
６１−３    第２原稿
【図１】
2005159766.tif 000003
【図２】
2005159766.tif 000004
【図３】
2005159766.tif 000005
【図４】
2005159766.tif 000006
【図５】
2005159766.tif 000007
【図６】
2005159766.tif 000008
【図７】
2005159766.tif 000009
【図８】
2005159766.tif 000010
【図９】
2005159766.tif 000011
【図１０】
2005159766.tif 000012
【図１１】
2005159766.tif 000013
【図１２】
2005159766.tif 000014
【図１３】
2005159766.tif 000015
【図１４】
2005159766.tif 000016
【図１５】
2005159766.tif 000017
【図１６】
2005159766.tif 000018
【図１７】
2005159766.tif 000019
【図１８】
2005159766.tif 000020
【図１９】
2005159766.tif 000021
【図２０】
2005159766.tif 000022
【図２１】
2005159766.tif 000023
【図２２】
2005159766.tif 000024